(57)【要約】【課題】リングバインダーを、その固定用の座を用いることなく、適切に備え付けられるようにすると共に、このリングバインダーの備え付け箇所におけるファイル具の外観性を一層向上させる。【解決手段】リングバインダー２を、表裏の表紙部１０、１０と背部１１とを有するファイル具１におけるこの背部１１の内側に位置づける押さえ用生地３とを備えている。押さえ用生地３には、リングバインダー２の綴り用リング２１を抜け出させる貫通孔３０が設けられていると共に、この貫通孔３０から綴り用リング２１を抜け出させるようにしてリングバインダー２のベース２０を覆った押さえ用生地３を、ファイル具１の背部１１側を構成する生地１１ａに対し、少なくともリングバインダー２のベース２０の長さ方向に沿った両側縁の側方においてそれぞれ止着させている。【選択図】      図１
2004209849.tif 000002
【特許請求の範囲】
【請求項１】
ベースと、綴り用リングとを備えたリングバインダーと、
このリングバインダーを、表裏の表紙部と背部とを有するファイル具におけるこの背部の内側に位置づける押さえ用生地とを備えており、
この押さえ用生地には、リングバインダーの綴り用リングを抜け出させる貫通孔が設けられていると共に、
この貫通孔から綴り用リングを抜け出させるようにしてリングバインダーのベースを覆った押さえ用生地を、ファイル具の背部側を構成する生地に対し、少なくともリングバインダーのベースの長さ方向に沿った両側縁の側方においてそれぞれ止着させていることを特徴とするリングバインダーを備えたファイル具。
【発明の詳細な説明】
【０００１】
【発明の属する技術分野】
この発明は、リングバインダーを備えたファイル具の改良に関する。
【０００２】
【従来の技術】
リングバインダー２００を備えたファイル具１００がある。かかるファイル具１００は、一般にシステム手帳などを称される手帳や、ファイルノート、加除式の日記帳などとして用いられている。
【０００３】
かかるリングバインダー２００は、ファイル具１００の背部の内側に配される。従来、かかるリングバインダー２００は、綴り用リング２０２を備えたベース２０１を、ファイル具１００の背部の内側に接着などして取り付けたプレート状をなす座２０３に止め付けることにより、ファイル具１００の背部の内側に配されるようになっていた。（図４）
【０００４】
具体的には、座２０３の背面をファイル具１００の背部を構成する内側の生地１０１に接着などさせた後、この座２０３の前面に設けられた掛合爪２０３ａの抜き出し穴１０２ａを設けさせた外側生地１０２を張り込み、この後、かかる抜き出し穴１０２ａを利用して座２０３の掛合爪２０３ａにベース２０１の背面部を掛合させることにより、ファイル具１００の背部の内側にリングバインダー２００を備え付けさせていた。
【０００５】
【発明が解決しようとする課題】
従来の手法にあっては、リングバインダー２００の備え付けに前記座２０３を必ず必要とさせていた。また、備え付けられたリングバインダー２００の前面部はファイル具１００の内側において露出されていた。
【０００６】
この発明は、この種のファイル具において、リングバインダーを、その固定用の座を用いることなく、適切に備え付けられるようにすると共に、このリングバインダーの備え付け箇所におけるファイル具の外観性を一層向上させることを主たる目的とする。
【０００７】
【課題を解決するための手段】
前記目的を達成するために、請求項１記載の発明にあっては、リングバインダーを備えたファイル具を、
ベースと、綴り用リングとを備えたリングバインダーと、
このリングバインダーを、表裏の表紙部と背部とを有するファイル具におけるこの背部の内側に位置づける押さえ用生地とを備えており、
この押さえ用生地には、リングバインダーの綴り用リングを抜け出させる貫通孔が設けられていると共に、
この貫通孔から綴り用リングを抜け出させるようにしてリングバインダーのベースを覆った押さえ用生地を、ファイル具の背部側を構成する生地に対し、少なくともリングバインダーのベースの長さ方向に沿った両側縁の側方においてそれぞれ止着させていることを特徴とするものとした。
【０００８】
かかる構成によれば、リングバインダーのベースを固定するための座をファイル具に予め備え付けることなく、ファイル具の背部にリングバインダーを適切に備え付けさせることができる。また、リングバインダーの備え付けにこの座を必要としないことから、ファイル具をできる限り軽量に構成させることができる。
【０００９】
また、ファイル具の内側において、リングバインダーのベースにおける綴り用リングの備えられた側を、押さえ用生地で覆うことができることから、ファイル具の外観性を向上させることができる。
【００１０】
【発明の実施の形態】
以下、図１ないし図３に基づいて、この発明の典型的な実施の形態について説明する。
【００１１】
なお、ここで図１は、実施の形態にかかるファイル具１を開いた状態をファイル具１の内側から見て、また、図２は、かかるファイル具１を構成するリングバインダー２と、その押さえ用生地３とを、分離させた状態として示している。また、図３は、このファイル具１の背部１１側を断面にして示している。
【００１２】
この実施の形態にかかるファイル具１は、リングバインダー２を備えており、このリングバインダー２によって綴り穴の設けられた用紙やシートなどを、綴り込んで用いられるものであり、かかるリングバインダー２によって、これらの用紙などを、必要に応じて適宜、追加したり、差し替えたり、綴り込みの順番を変えたりして用いることができるものである。
【００１３】
すなわち、リングバインダー２の綴り用リング２１を構成する一対のリング構成体２１ａ、２１ａの互いに突き合わされる先端側２１ｂを離れ出し操作することにより、この綴り用リング２１を綴り穴に通して綴られていた用紙などの加除などをなすことができ、また、このように加除などをなした後、かかる一対のリング構成体２１ａ、２１ａの先端側２１ｂを再び突き合わせさせる操作をすることにより、再び、かかる綴り用リング２１によって用紙などを綴り込むように用いることができるものである。
【００１４】
かかるファイル具１は、表裏の表紙部１０、１０を有すると共に、この表裏の表紙部１０、１０間に背部１１を有している。そして、この背部１１の内側（ファイル具１を閉じた状態において、表裏の表紙部１０、１０の内方に位置される側）に、前記リングバインダー２を備えている。
【００１５】
図示の例では、表裏の表紙部１０、１０はいずれも長方形状をなすように構成されている。そして、この表裏の表紙部１０、１０の一方の長さ方向に沿った一辺部と、この表裏の表紙部１０、１０の他方の長さ方向に沿った一辺部とを、これらの辺部とほぼ同じ長さを備えた細長い背部１１を介して連接させるようにしている。この背部１１とこれらの辺部との連接箇所をヒンジ部１２として、表裏の表紙部１０、１０は、図１に示される展開状態から閉じ込めるようになっている。そして、かかる背部１１の幅寸法がファイル具１の基本的な厚さとなる。
【００１６】
リングバインダー２は、細長いベース２０を有すると共に、このベース２０の一面側に前記綴り用リング２１を備えている。図示の例では、六つの綴り用リング２１、２１…がベース２０に備えられている。
【００１７】
各綴り用リング２１、２１…は、綴り用リング２１の環の中心を、ベース２０の長さ方向に沿った仮想の直線上にほぼ位置させるようにして、このベース２０に設けられている。隣り合う綴り用リング２１、２１間にはそれぞれ間隔が形成されている。各綴り用リング２１、２１…はいずれも、一対のリング構成体２１ａ、２１ａを、その基部側でベース２０に対し回動可能に組み付けさせており、一方のリング構成体２１ａの先端に他方のリング構成体２１ａの先端を突き当てさせた位置と、両先端間に間隔を開けた離隔位置との間で、移動操作できるようになっている。図示の例では、ベース２０の両端部に、各綴り用リング２１、２１…にリンクされた操作摘み２２が設けられており、この操作摘み２２を押圧することにより、一対のリング構成体２１ａ、２１ａの先端を突き当てさせた状態にある各綴り用リング２１、２１…におけるこの一対のリング構成体２１ａ、２１ａを、同時に離隔位置まで移動させることができるようになっている。
【００１８】
この実施の形態にかかるファイル具１は、このリングバインダー２をファイル具１の背部１１の内側に位置づける押さえ用生地３を備えている。そして、この押さえ用生地３をファイル具１の背部１１側を構成する生地１１ａに止着させることによって、このリングバインダー２をファイル具１の背部１１の内側に備え付けさせるようにしている。これらの生地３、１１ａは、織物生地、皮革、合成皮革など、構成されるファイル具１に用いられる生地材料に応じて、適宜変更される。
【００１９】
すなわち、前記押さえ用生地３には、リングバインダー２の綴り用リング２１を抜け出させる貫通孔３０が設けられている。そして、この貫通孔３０から綴り用リング２１を抜け出させるようにしてリングバインダー２のベース２０を覆った押さえ用生地３を、ファイル具１の背部１１側を構成する生地１１ａに対し、少なくともリングバインダー２のベース２０の長さ方向に沿った両側縁の側方においてそれぞれ止着させている。止着方法としては、縫着、接着、溶着、ビス止めなどの各種方法を用いることができる。このように押さえ用生地３の止着によりベース２０を覆われたリングバインダー２は、かかる止着によって背部１１の両側方に向けたズレを生じさせず、また、貫通穴への綴り用リング２１の挿通によって、背部１１の上下方向へのズレも生じさせることがない。
【００２０】
この結果、この実施の形態にかかるファイル具１にあっては、リングバインダー２のベース２０を固定するための座をファイル具１に予め備え付けることなく、ファイル具１の背部１１にリングバインダー２を適切に備え付けさせることができる。また、リングバインダー２の備え付けにこの座を必要としないことから、ファイル具１をできる限り軽量に構成させることができる。これにより特に、かかるファイル具１は携行用の手帳などに適用した場合に、その利用をより快適なものとする特長を有している。
【００２１】
また、ファイル具１の内側において、リングバインダー２のベース２０における綴り用リング２１の備えられた側を、押さえ用生地３で覆うことができることから、ファイル具１の外観性を向上させることができる。
【００２２】
図示の例にあっては、押さえ用生地３は、ファイル具１の表裏の表紙部１０、１０の前記辺部とほぼ同じ長さを備えると共に、前記背部１１の幅寸法よりも広い幅を備えている。また、リングバインダー２の綴り用リング２１の数（図示の例では、綴り用リング２１が六つなので、一つの綴り用リング２１に対応した一対の貫通穴３０、３０組を六ヶ所）に応じた丸穴状をなす貫通孔３０を備えている。そして、図示の例にあっては、この貫通孔３０から綴り用リング２１を、つまり、この貫通孔から綴り用リング２１のリング構成体２１ａを抜け出させるようにして、この押さえ用生地３によってリングバインダー２のベース２０を覆った状態から、このベース２０の長さ方向に沿った一側縁の側方と、このベース２０の長さ方向に沿った他側縁の側方とを、ファイル具１の背部１１側を構成する生地に対し縫着することにより、この押さえ用生地３によってリングバインダー２をファイル具１に備え付けるようにしている。
【００２３】
図示の例にあっては、かかる縫着による縫着部１３は、背部１１の長さ方向に沿って、この背部１１と表裏の表紙部１０、１０との連接箇所において、この長さ方向に亘って形成されている。また、図示の例にあっては、ファイル具１の背部１１の幅側の縁部、および、この背部１１の幅側の縁部に続くファイル具１の表裏の表紙部１０、１０の縁部と、これらの縁部に接する押さえ用生地３の縁部とにも、縫着１５を施すようにしてある。
【００２４】
図示の例にあっては、背部１１を挟んだ一方側において、この一方側にある前記縫着部１３とかかる縫着部１３に対向する押さえ用生地３の縁部との間に余裕が持たされるように押さえ用生地３が構成されており、この余裕部３１によってファイル具１の内側に同時にポケット１４を形成させている。
【００２５】
また、図示の例では、押さえ用生地３に、リングバインダー２の前記操作摘み２２の突き出し用の背部１１の幅方向に長いスリット状をなす貫通孔３２がさらに設けられており、この貫通孔２２からこの操作摘み３２を突き出させた状態で、かかるリングバインダー２のベース２０を押さえ用生地３によって覆うようにしてある。これにより、図示の例では、リングバインダー２のベース２０を押さえ用生地３によって見栄え良く覆いながら、操作摘み３２を使ったリングバインダー２の前記操作を支障なくなすことができるようになっている。
【００２６】
【発明の効果】
この発明にかかるファイル具によれば、リングバインダーを、その固定用の座を用いることなく、適切に備え付けることができ、また、押さえ用生地がリングバインダーのベースを覆うことから、このリングバインダーの備え付け箇所におけるファイル具の外観性を一層向上させることができる。
【図面の簡単な説明】
【図１】ファイル具１の斜視構成図
【図２】同要部分離斜視構成図
【図３】図１におけるＡ−Ａ線断面図
【図４】従来例を示す要部分離斜視構成図
【符号の説明】
１  ファイル具
１１  背部
１１ａ  生地
２  リングバインダー
２０  ベース
２１  綴り用リング
３  押さえ用生地
３０  貫通孔
【図１】
2004209849.tif 000003
【図２】
2004209849.tif 000004
【図３】
2004209849.tif 000005
【図４】
2004209849.tif 000006